(57)【要約】      （修正有）【課題】ほこりが入るのを防ぎ、接触や衝撃による損傷を防ぐことができ、使用時、押すだけで開くことができるコンピューター本体のふたを提供する。【解決手段】１つの前板１１と、１つのふた２０と、１つのフックロッド３０とを含み、該前板１１はＦＤドライブ設置槽１１１とＣＤ／ＤＶＤドライブ設置槽１１２とを有し、該ふた２０は内側下部の雌フック１５と嵌合できる位置に雄フック２３を有し、通常はふた２０の雄フック２３が前板１１の雌フック１５内に嵌入した状態、即ち、該ふた２０が閉じた状態であり、手でふた２０を押すことにより、該雄フック２３がプラスチック製の雌フック１５から外れ、ふた２０が開いた状態となる。反対に、ふた２０を閉める時には、ふた２０を下に押すだけで、該ふた２０を閉じることができる。【選択図】図２
0003121767.tif 000002
【実用新案登録請求の範囲】
【請求項１】
主に１つの前板(11)と、１つのふた(20)と、１つのフックロッド(30)と、１つの活動板(40)とを含み、
該前板(11)はFDドライブ設置槽(111)とCD/DVDドライブ設置槽(112)とを有し、
両側に軸ロッド(13)を具備する凹孔(12)を有し、
上部中央に嵌座(14)を有し、
底部中央に雌フック(15)を有し、
内側縁辺にフック(16)を有し、
該ふた(20)は内側上部の該嵌座(14)と相対する位置に、
軌道(221)を具備する２つの軌道フレーム(22)を有し、
内側下部の雌フック(15)と嵌合できる位置に雄フック(23)を有し、
該フックロッド(30)はふた(20)の嵌座(21)に嵌入した時に、安定固定される為のリング(31)を有し、
両端に前板(11)の軸ロッド(13)に嵌合することができるC形嵌合部(32)をそれぞれ有し、
その内、１つのC形嵌合部(32)は底部に弾力体(331)を掛けることができる１つの倒フック(33)を有し、
該弾力体(331)底端は該前板(11)のフック(16)に掛けることができ、
又、該フックロッド(30)は中央に１つの掛座(34)を有し、
該活動板(40)は前後両端にそれぞれ２つの凸部(41)(42)を有し、
前端の２つの凸部(41)はふた(20)の軌道フレーム(22)の軌道(221)内を移動でき、
後端の２つの凸部(42)はそれぞれ前板(11)の嵌座(14)内に嵌入され、
前端の２つの凸部(41)の間に軸(43)を有し、
該軸(43)上に１つのばね(44)の一端が設置され、
該ばね(44)のもう一端はフックロッド(30)の掛座(34)に掛けられ、
上記構成及び構造により、該ふた(20)は通常の状態において、前板(11)のFDドライブ設置槽(111)及びCD/DVDドライブ設置槽(112)を遮蔽し、
該ふた(20)を押すことにより、ふた(20)が自動的に開く構造を有することを特徴とするコンピューター本体(10)のふた(20)の構造。
【考案の詳細な説明】
【技術分野】
【０００１】
本考案は一種のコンピューター本体(10)の前板(11)上に１つの可動式ふた(20)を設置することにより、通常、ふた(20)は前板(11)上のFDドライブ設置槽(111)とCD/DVDドライブ設置槽(112)を遮蔽し、
使用時、ふた(20)を押すだけで、ふた(20)を開くことができるふた(20)に関するものである。
【背景技術】
【０００２】
従来のコンピューター本体は前板上に、FDドライブ、或いはCD/DVDドライブ設置槽を設置する為のFDドライブ設置槽、或いはCD/DVDドライブ設置槽が設けられ、
各ドライブを取り付ける前の状態ではFDドライブ設置槽及びCD/DVDドライブ設置槽にカバーが取り付けられているが、各ドライブを取り付ける際に、カバーを取り外す必要があり、人によってはカバーを全部外してしまう場合やカバーをなくしてしまう場合等もあり、各ドライブ設置後の前板がカバーがない状態になってしまう場合もよくあり、ほこりが入りやすくなり、又、外見上の美観を損ねるという問題がある。
【考案の開示】
【考案が解決しようとする課題】
【０００３】
本考案の主な目的はコンピューター本体(10)の前板(11)上に１つの可動式のふた(20)を設置することにより、通常、ふた(20)は前板(11)上のFDドライブ設置槽(111)とCD/DVDドライブ設置槽(112)を遮蔽し、ほこりが入るのを防ぎ、接触や衝撃による損傷を防ぐことができ、使用時、ふた(20)を押すだけで、ふた(20)を開くことができ、使用が便利になり、又、コンピューター本体(10)の全体外観を美化することもできる。
【課題を解決するための手段】
【０００４】
主に１つの前板(11)と、１つのふた(20)と、１つのフックロッド(30)と、１つの活動板(40)とを含み、
該前板(11)はFDドライブ設置槽(111)とCD/DVDドライブ設置槽(112)とを有し、
両側に軸ロッド(13)を具備する凹孔(12)を有し、
上部中央に嵌座(14)を有し、
底部中央に雌フック(15)を有し、
内側縁辺にフック(16)を有し、
該ふた(20)は内側上部の該嵌座(14)と相対する位置に、
軌道(221)を具備する２つの軌道フレーム(22)を有し、
内側下部の雌フック(15)と嵌合できる位置に雄フック(23)を有し、
該フックロッド(30)はふた(20)の嵌座(21)に嵌入した時に、安定固定される為のリング(31)を有し、
両端に前板(11)の軸ロッド(13)に嵌合することができるC形嵌合部(32)をそれぞれ有し、
その内、１つのC形嵌合部(32)は底部に弾力体(331)を掛けることができる１つの倒フック(33)を有し、
該弾力体(331)底端は該前板(11)のフック(16)に掛けることができ、又、該フックロッド(30)は中央に１つの掛座(34)を有し、
該活動板(40)は前後両端にそれぞれ２つの凸部(41)(42)を有し、
前端の２つの凸部(41)はふた(20)の軌道フレーム(22)の軌道(221)内を移動でき、後端の２つの凸部(42)はそれぞれ前板(11)の嵌座(14)内に嵌入され、前端の２つの凸部(41)の間に軸(43)を有し、
該軸(43)上に１つのばね(44)の一端が設置され、該ばね(44)のもう一端はフックロッド(30)の掛座(34)に掛けられ、上記構成及び構造により、該ふた(20)は通常の状態において、前板(11)のFDドライブ設置槽(111)及びCD/DVDドライブ設置槽(112)を遮蔽し、該ふた(20)を押すことにより、ふた(20)が自動的に開く構造を有することを特徴とするコンピューター本体(10)のふた(20)の構造。
【考案を実施するための最良の形態】
【０００５】
本考案の構造の特徴及びその効果を以下に実施例とそれに合わせた図式及び詳細な説明を列挙し、本考案の長所を詳述する。
【実施例】
【０００６】
本考案の実施例は図１が示す如く、コンピューター本体(10)の前板(11)上に１つのふた(20)が設置され、該ふた(20)はFDドライブ設置槽(111)とCD/DVDドライブ設置槽(112)とを遮蔽する構造であり、
図２、２〜１が示す如く、使用者はふた(20)底部中央を押すことにより、該ふた(20)が自動的に開く構造であり、該ふた(20)が開くことにより、前板(11)上のFDドライブ設置槽(111)及びCD/DVDドライブ設置槽(112)が露出し、使用者はFDドライブ設置槽(111)或いはCD/DVDドライブ設置槽(112)を使用することができ、該ふた(20)の開蓋の仕組みは下記の如くである。
【０００７】
主に１つの前板(11)と、１つのふた(20)と、１つのフックロッド(30)と、１つの活動板(40)とを含み、図２が示す如く、該前板(11)はFDドライブ設置槽(111)とCD/DVDドライブ設置槽(112)とを有し、両側に軸ロッド(13)を具備する凹孔(12)を有し、上部中央に嵌座(14)を有し、底部中央に三角形状のプラスチック製雌フック(15)を有し、内側縁辺にフック(16)を有し（図６）、図４が示す如く、該ふた(20)は内側上部の該嵌座(14)と相対する位置に、軌道(221)を具備する２つの軌道フレーム(22)を有し、内側下部の雌フック(15)と嵌合できる位置に雄フック(23)を有し、図３が示す如く、該フックロッド(30)はふた(20)の嵌座(21)に嵌入した時に、安定固定される為のリング(31)を有し、両端に前板(11)の軸ロッド(13)に嵌合することができるC形嵌合部(32)をそれぞれ有し、その内、１つのC形嵌合部(32)は底部に弾力体(331)を掛けることができる１つの倒フック(33)を有し、該弾力体(331)底端は該前板(11)のフック(16)に掛けることができ（図６）、又、該フックロッド(30)は中央に１つの掛座(34)を有し、図５が示す如く、該活動板(40)は前後両端にそれぞれ２つの凸部(41)(42)を有し、前端の２つの凸部(41)はふた(20)の軌道フレーム(22)の軌道(221)内を移動でき、後端の２つの凸部(42)はそれぞれ前板(11)の嵌座(14)内に嵌入され、前端の２つの凸部(41)の間に軸(43)を有し、該軸(43)上に１つのばね(44)の一端が設置され、該ばね(44)のもう一端はフックロッド(30)の掛座(34)に掛けられる。
【０００８】
図１が示す如く、通常はふた(20)の雄フック(23)が前板(11)の雌フック(15)内に嵌入した状態、即ち、該ふた(20)が閉じた状態であり、図２が示す如く、手でふた(20)を押すことにより、該雄フック(23)がプラスチック製の雌フック(15)から外れ、該フックロッド(30)が弾力体(331)の回復力により引っ張られ、軸ロッド(13)を中心として回転し、この時、活動板(40)もばね(44)の回復力により引っ張られ、凸部(42)を中心として開き、又、活動板(40)の凸部(41)がふた(20)の軌道(221)内を滑動することにより、ふた(20)が開いた状態となる（図２）。
反対に、ふた(20)を閉める時には、ふた(20)を下に押すだけでよく。
弾力体(331)及びばね(44)が同時に引っ張られた状態となったまま、雄フック(23)が雌フック(15)内に嵌入固定され、該ふた(20)を閉じることができる。
【図面の簡単な説明】
【０００９】
【図１】本考案の外観図である。
【図２】本考案の開いたふた(20)の外観図である。
【図２−１】図２の局部拡大図である。
【図３】本考案のフックロッド(30)の構造図である。
【図４】本考案のフックロッド(30)の平面図である。
【図５】本考案の活動板(40)の構造図である。
【図６】本考案の前板(11)の後視図である。
【図７】本考案の前板(11)の後視の動作図である。
【符号の説明】
【００１０】
従来の部分
６０          縦棒
７０          湾曲棒
８０          背中支持板
本考案部分
１０          固定フレーム
１１          レール
１２          ストッパー
１３          手摺り
２０          座りパッド
３０          背中角度調整スタンド
４０          座り角度制御器
５０          伸縮足置きセット
５１          レール
５２          足位置付け部
５３          滑車
５４          海綿状プラスチック層
【図１】
0003121767.tif 000003
【図２】
0003121767.tif 000004
【図２−１】
0003121767.tif 000005
【図３】
0003121767.tif 000006
【図４】
0003121767.tif 000007
【図５】
0003121767.tif 000008
【図６】
0003121767.tif 000009
【図７】
0003121767.tif 000010